(57)【要約】【課題】圧縮機がケーシング内に収容された空気調和装置において、圧縮機をケーシング外に引き出す際に、ケーシングの周縁部を乗り越えさせる作業を容易にするとともに、電気線をケーシング内に引き入れる経路や圧縮機をケーシング外に引き出す方向が制限されないようにする。【解決手段】床置型室内ユニット１は、圧縮機８を収容するケーシング２と、引出補助部材１１とを備えている。引出補助部材１１は、圧縮機８をケーシング２外に引き出す際に、ケーシング２の周縁部を乗り越えさせるために設けられており、圧縮機８を引き出す方向に向かうにつれて上方に傾斜する傾斜部１１ｂを有しており、傾斜部１１ｂの下方に電気線９を通過させるための電気線通過空間Ｓ３を形成している。【選択図】図４
2008190726.tif 000002
【特許請求の範囲】
【請求項１】
圧縮機（８）を収容するケーシング（２）と、
前記圧縮機を前記ケーシング外に引き出す際に、前記ケーシングの周縁部を乗り越えさせるために設けられており、前記圧縮機を引き出す方向に向かうにつれて上方に傾斜する傾斜部（１１ｂ）を有する引出補助部材（１１）とを備え、
前記引出補助部材は、前記傾斜部の下方に電気線（９）を通過させるための電気線通過空間（Ｓ３）を形成している、
空気調和装置（１）。
【請求項２】
前記ケーシング（２）内には、電装品箱（７）が配置されており、
前記電気線（９）は、前記ケーシング外から前記ケーシング内に引き入れられ、前記電気線通過空間（Ｓ３）を通過した後に、前記電装品箱に接続されている、
請求項１に記載の空気調和装置（１）。
【発明の詳細な説明】
【技術分野】
【０００１】
本発明は、空気調和装置、特に、圧縮機がケーシング内に収容された空気調和装置に関する。
【背景技術】
【０００２】
従来より、圧縮機がケーシング内に収容された空気調和装置がある。このような空気調和装置として、例えば、特許文献１に示されるような床置型空気調和装置がある。この空気調和装置は、主として、略直方体形状のケーシングと、ケーシング内に配置された熱交換器や圧縮機等とを備えている。
【特許文献１】特開平１１−３０４２３５号公報
【発明の開示】
【発明が解決しようとする課題】
【０００３】
このような空気調和装置においては、故障時やメンテナンスの際に、圧縮機をケーシング外に引き出すことがある。
【０００４】
しかし、圧縮機をケーシング外に引き出す際には、ケーシングの周縁部を乗り越えさせる作業が必要となるため、圧縮機を引き出す作業に手間がかかる。しかも、圧縮機とケーシングの周縁部との間を電気線が横切っている場合には、圧縮機をケーシング外に引き出す際に電気線を損傷させるおそれがあり、このような電気線の損傷を防ぐために、電気線をケーシング内に引き入れる経路や圧縮機をケーシング外に引き出す方向を制限せざるを得なくなる。
【０００５】
本発明の課題は、圧縮機がケーシング内に収容された空気調和装置において、圧縮機をケーシング外に引き出す際に、ケーシングの周縁部を乗り越えさせる作業を容易にするとともに、電気線をケーシング内に引き入れる経路や圧縮機をケーシング外に引き出す方向が制限されないようにすることにある。
【課題を解決するための手段】
【０００６】
第１の発明にかかる空気調和装置は、圧縮機を収容するケーシングと、引出補助部材とを備えている。引出補助部材は、圧縮機をケーシング外に引き出す際に、ケーシングの周縁部を乗り越えさせるために設けられており、圧縮機を引き出す方向に向かうにつれて上方に傾斜する傾斜部を有しており、傾斜部の下方に電気線を通過させるための電気線通過空間を形成している。
【０００７】
この空気調和装置では、引出補助部材が、圧縮機のケーシング外への引き出し作業の補助をするとともに、電気線の通過を許容する部材として機能しているため、圧縮機とケーシングの周縁部との間を電気線が横切る場合であっても、圧縮機をケーシング外に引き出す際に電気線を損傷させるおそれがなくなる。
【０００８】
これにより、この空気調和装置では、圧縮機をケーシング外に引き出す際において、ケーシングの周縁部を乗り越えさせる作業を容易にするとともに、電気線をケーシング内に引き入れる経路や圧縮機をケーシング外に引き出す方向が制限されないようにすることができる。
【０００９】
第２の発明にかかる空気調和装置は、第１の発明にかかる空気調和装置において、ケーシング内には、電装品箱が配置されている。そして、電気線は、ケーシング外からケーシング内に引き入れられ、電気線通過空間を通過した後に、電装品箱に接続されている。
【００１０】
この空気調和装置では、電気線が電気線通過空間を通過した後に電装品箱に接続されているため、電装品箱がケーシング内のどのような位置に配置されたとしても、電気線をケーシング内に引き入れる経路や圧縮機をケーシング外に引き出す方向が制限されなくなる。
【発明の効果】
【００１１】
以上の説明に述べたように、本発明によれば、以下の効果が得られる。
【００１２】
第１の発明では、圧縮機をケーシング外に引き出す際において、ケーシングの周縁部を乗り越えさせる作業を容易にするとともに、電気線をケーシング内に引き入れる経路や圧縮機をケーシング外に引き出す方向が制限されないようにすることができる。
【００１３】
第２の発明では、電装品箱がケーシング内のどのような位置に配置されたとしても、電気線をケーシング内に引き入れる経路や圧縮機をケーシング外に引き出す方向が制限されなくなる。
【発明を実施するための最良の形態】
【００１４】
以下、図面に基づいて、本発明にかかる空気調和装置の実施形態について説明する。
【００１５】
（１）空気調和装置の構成
図１は、本発明の空気調和装置の一実施形態としての空気調和装置の床置型室内ユニット１の正面板２１を取り外した状態における概略正面図である。図２は、図１のＩ−Ｉ概略断面図（インバータボックス６及びスイッチボックス７については、断面ではなく右側面を図示）である。図３は、図１のＩＩ−ＩＩ概略断面図（熱交換器３については、図示を省略）である。床置型室内ユニット１は、本実施形態において、室外ユニット（図示せず）と複数の冷媒連絡管（図示せず）を介して接続されて蒸気圧縮式の冷媒回路を構成している。
【００１６】
床置型室内ユニット１は、主として、ケーシング２と、熱交換器３と、送風機４と、圧縮機８とを備えている。
【００１７】
ケーシング２は、本実施形態において、縦長の略直方体形状であり、主として、正面板２１と、１対の側板２２、２３と、背面板２４と、天板２５と、底板２６とを有している。正面板２１は、ケーシング２の正面部分を主に形成する板金製の部材である。正面板２１の上下方向中間部には、空気をケーシング２の正面から吸入する吸入口２１ａ（図１に２点鎖線により図示）が形成されている。この吸入口２１ａには、吸入グリル２７（詳細は図示せず）が設けられている。右側板２２は、ケーシング２の右側面部分（ケーシング２の正面から向かって右側の側面部分をいう）を主に構成する板金製の部材である。左側板２３は、ケーシング２の左側面部分（ケーシング２の正面から向かって左側の側面部分をいう）を主に構成する板金製の部材である。背面板２４は、ケーシング２の背面部分を主に形成する板金製の部材である。天板２５は、ケーシング２の天面部分を主に形成する板金製の部材である。本実施形態において、天板２５の背面板２４寄りの部分には、調和空気を吹き出す吹出口２５ａが形成されている。この吹出口２５ａには、調和空気を空調空間に送るダクト５が接続されている。底板２６は、ケーシング２の底面部分を主に形成する板金製の部材である。この底板２６の下面には、据え付け場所に設置するための固定脚２８が設けられている。そして、ケーシング２の内部には、吸入口２１ａから上方に向かう空気流路Ｓが形成されている。また、ケーシング２の内部には、正面板２１の内面に対向するように、第１の電装品箱としてのインバータボックス６が配置されている。このインバータボックス６には、圧縮機駆動モータ（図示せず）や送風機駆動モータ４２（後述）等の運転周波数を制御するインバータ制御素子（図示せず）が主に収容されている。インバータボックス６は、本実施形態において、横長の略直方体形状であり、吸入口２１ａの上方において、１対の側板２２、２３の内面との間に隙間を空けて配置されている。また、底板２６上には、第２の電装品箱としてのスイッチボックス７が配置されている。このスイッチボックス７には、ケーシング２外からケーシング２内に引き入れられる電気線９が接続される端子台（図示せず）や各種機器を制御する制御基板（図示せず）が主に収容されている。スイッチボックス７は、本実施形態において、略直方体形状であり、ケーシング２の側面視において、前後方向略中央のやや正面板２１寄りの位置に、そして、ケーシング２の正面視において、右側板２２付近に配置されている。
【００１８】
熱交換器３は、吸入口２１ａからケーシング２内に吸入された空気の熱交換を行う機器であり、本実施形態において、空気流路Ｓ内に配置されており、ケーシング２を構成する板のうち吸入口２１ａを含む熱交換器３の上流側に位置する部分によって形成される１次側空間Ｓ１と、ケーシング２を構成する板のうち吹出口２５ａを含む熱交換器３の下流側に位置する部分によって形成される２次側空間Ｓ２とに分割している。この熱交換器３は、クロスフィン式のフィン・アンド・チューブ型熱交換器等からなる略パネル形状の形態を有しており、その前面側の部分が上方に位置し、かつ、背面側の部分が下方に位置するように傾斜しており、本実施形態において、インバータボックス６の背面から背面板２４に向かって延びている。また、熱交換器３の下端部の下方には、熱交換器３から落下する結露水を受けるためのドレンパン１０が設けられている。
【００１９】
送風機４は、吸入口２１ａからケーシング２内に空気を吸入し、熱交換器３において熱交換が行われた空気を吹出口２５ａから吹き出す機器であり、本実施形態において、２次側空間に配置されている。より具体的には、送風機４は、吸入口２１ａの上方かつ熱交換器３の下流に配置されている。この送風機４は、本実施形態において、遠心ファンの一種である両吸込タイプのシロッコファンからなり、主として、羽根車４１と、羽根車４１を回転駆動する送風機駆動モータ４２と、羽根車４１が収容されるスクロールケーシング４３とを有している。送風機駆動モータ４２の回転軸４２ａは、羽根車４１に連結されている。また、スクロールケーシング４３には、２次側空間Ｓ２から空気を吸入する２つのスクロール吸入口４３ａと、吹出口２５ａに空気を送るスクロール吹出口４３ｂとが形成されている。
【００２０】
圧縮機８は、熱交換器３等を通過する冷媒を圧縮する機器であり、本実施形態において、底板２６上に配置されている。この圧縮機８は、圧縮機駆動モータを収容した縦型円筒形状の密閉型圧縮機であり、ケーシング２の側面視において、前後方向略中央のやや正面板２１寄りの位置に、そして、ケーシング２の正面視において、スイッチボックス７の左方に配置されている。尚、圧縮機８の左側の空間には、図示しない冷媒管等の冷媒回路を構成する部品が配置されている。
【００２１】
このような圧縮機８がケーシング２内に収容された床置型室内ユニット１においては、故障時やメンテナンスの際に、圧縮機８を正面板２１側からケーシング２外に引き出すことがある。しかし、底板２６の周縁部には、上方に突出する壁部２６ａが形成されており、圧縮機８をケーシング２の正面板２１側からケーシング２外に引き出す際には（図４、５の圧縮機８の引き出し方向を示す矢印Ａを参照）、壁部２６ａを乗り越えさせる作業が必要となるため、圧縮機８を引き出す作業に手間がかかる。
【００２２】
しかも、本実施形態の床置型室内ユニット１では、スイッチボックス７が、ケーシング２の正面視において、右側板２２付近に配置されているにもかかわらず、スイッチボックス７の端子台（図示せず）に接続される電気線９が左側板２３の下部に形成された引入孔２３ａを通じて左側板２３からケーシング２内に引き入れられるようになっているため、電気線９をスイッチボックス７に接続するためには、電気線９を圧縮機８と壁部２６ａとの前後方向間（すなわち、圧縮機８を正面板２１側からケーシング２外に引き出す際の引き出し経路）を横切るように通すことが必要になる。しかし、単に、電気線９を圧縮機８と壁部２６ａとの間を横切るように通すと、圧縮機８を正面板２１側からケーシング２外に引き出す際に、電気線９を損傷させるおそれがある。
【００２３】
そこで、本実施形態の床置型室内ユニット１においては、圧縮機８を正面板２１側からケーシング２外に引き出す経路上、すなわち、圧縮機８と壁部２６ａとの前後方向間に、引出補助部材１１を設けるようにして、圧縮機８を正面板２１側からケーシング２外に引き出す際に、ケーシング２の周縁部である壁部２６ａを乗り越えさせることができるようにしている。本実施形態において、引出補助部材１１は、ケーシング２の平面視において、圧縮機２１と同程度の左右方向幅を有する板金製の部材であり、主として、底板固定部１１ａと、傾斜部１１ｂと、平坦部１１ｃと、壁固定部１１ｄとを有している。底板固定部１１ａは、最も圧縮機８寄りの位置に配置されており、底板２６上に当接する板状の部分である。傾斜部１１ｂは、底板固定部１１ａの壁部２６ａ側端から壁部２６ａ側に向かって延びており、圧縮機８を引き出す方向（図４、５の矢印Ａを参照）に向かうにつれて上方に傾斜するように延びる板状の部分である。ここで、傾斜部１１ｂは、その傾斜面を壁部２６ａ方向に仮想的に延長した際に、その延長した面が壁部２６ａの上端部よりも上方に位置するような傾斜を有していることが望ましい。なぜなら、これにより、圧縮機８を引き出す際に壁部２６ａを乗り越えさせることをさらに容易にすることができるからである。平坦部１１ｃは、傾斜部１１ｂの壁部２６ａ側端から壁部２６ａの上端付近まで水平に延びる板状の部分である。壁固定部１１ｄは、平坦部１１ｃの壁部２６ａ側端から壁部２６ａに沿って下方に延びる板状の部分である。本実施形態において、底板固定部１１ａは底板２６にネジ止め等によって固定され、壁固定部１１ｄは壁部２６ａにネジ止め等によって固定されている。そして、引出補助部材１１は、傾斜部１１ｂの下方に電気線９を通過させるための電気線通過空間Ｓ３を形成している。
【００２４】
これにより、引入孔２３ａを通じて左側版２３からケーシング２内に引き入れられた電気線９は、圧縮機８の左方の空間を通過した後、引出補助部材１１によって形成された電気線通過空間Ｓ３を通過して、圧縮機８と壁部２６ａとの間の空間を横切り、圧縮機８の右方に配置されたスイッチボックス７に接続することができる。そして、故障時やメンテナンスの際に、圧縮機８を正面板２１側からケーシング２外に引き出す際には、引出補助部材１１の傾斜部１１ｂを利用して、圧縮機８をケーシング２の周縁部である壁部２６ａの上端付近まで案内することで、ケーシング２の周縁部を容易に乗り越えさせることができる。また、この際、圧縮機８と壁部２６ａとの間の空間を横切る電気線９は、引出補助部材１１によって保護されているため、圧縮機８をケーシング２外に引き出す際に電気線９を損傷させるおそれがない。
【００２５】
（２）本実施形態の空気調和装置の特徴
本実施形態の床置型室内ユニット１には、以下のような特徴がある。
【００２６】
本実施形態の空気調和装置の床置型室内ユニット１では、引出補助部材１１が、圧縮機８のケーシング２外への引き出し作業の補助をするとともに、電気線９の通過を許容する部材として機能しているため、圧縮機８とケーシング２の周縁部（より具体的には、壁部２６ａ）との間を電気線９が横切る場合であっても、圧縮機８をケーシング２外に引き出す際に電気線９を損傷させるおそれがなくなる。
【００２７】
これにより、この床置型室内ユニット１では、圧縮機８をケーシング２外に引き出す際において、ケーシング２の周縁部を乗り越えさせる作業を容易にするとともに、電気線９をケーシング２内に引き入れる経路や圧縮機８をケーシング２外に引き出す方向が制限されないようにすることができる。
【００２８】
特に、本実施形態の床置型室内ユニット１のように、ケーシング２外から引き入れられた電気線９が、電気線通過空間Ｓ３を通過した後に、ケーシング２内に配置された電装品箱としてのスイッチボックス７に接続されるようにした場合には、スイッチボックス７がケーシング２内のどのような位置に配置されたとしても、電気線９をケーシング２内に引き入れる経路や圧縮機８をケーシング２外に引き出す方向が制限されなくなる。
【００２９】
（３）他の実施形態
以上、本発明の実施形態について図面に基づいて説明したが、具体的な構成は、これらの実施形態に限られるものではなく、発明の要旨を逸脱しない範囲で変更可能である。
【００３０】
（Ａ）引出補助部材の断面形状は、上述の実施形態のものに限られず、例えば、平坦部を有しておらず傾斜部がケーシングの周縁部まで達した断面形状等のように、圧縮機を引き出す方向に向かうにつれて上方に傾斜する傾斜部を有するものであれば、種々の断面形状のものを適用可能である。
【００３１】
（Ｂ）床置型室内ユニットのケーシング内に圧縮機が収容された、いわゆるリモートコンデンサ型の空気調和装置の床置型室内ユニットに本発明を適用しているが、これに限定されず、例えば、室外ユニットのケーシング内に圧縮機が収容された、いわゆるセパレート型の空気調和装置の室外ユニットのように、ケーシング内に圧縮機が収容された他の型式の空気調和装置であれば、本発明を適用可能である。
【産業上の利用可能性】
【００３２】
本発明を利用すれば、圧縮機がケーシング内に収容された空気調和装置において、圧縮機をケーシング外に引き出す際に、ケーシングの周縁部を乗り越えさせる作業を容易にするとともに、電気線をケーシング内に引き入れる経路や圧縮機をケーシング外に引き出す方向が制限されないようにできる。
【図面の簡単な説明】
【００３３】
【図１】本発明の空気調和装置の一実施形態としての空気調和装置の床置型室内ユニットの正面板を取り外した状態における概略正面図である。
【図２】図１のＩ−Ｉ概略断面図（インバータボックス及びスイッチボックスについては、断面ではなく右側面を図示）である。
【図３】図１のＩＩ−ＩＩ概略断面図（熱交換器については、図示を省略）である。
【図４】正面板を取り外した状態の床置型室内ユニットの下部を左側板側から見た斜視図である。
【図５】図３のＩＩＩ−ＩＩＩ概略断面図である。
【符号の説明】
【００３４】
１  床置型室内ユニット（空気調和装置）
２  ケーシング
７  スイッチボックス（電装品箱）
８  圧縮機
９  電気線
１１  引出補助部材
１１ｂ  傾斜部
Ｓ３  電気線通過空間
【図１】
2008190726.tif 000003
【図２】
2008190726.tif 000004
【図３】
2008190726.tif 000005
【図４】
2008190726.tif 000006
【図５】
2008190726.tif 000007